(57)【要約】【課題】保冷材その他の備品を容易に収容保持可能な包装箱の備品収納構造を提供する。【解決手段】本発明の包装箱の備品収納構造は、正方形又は長方形の底板２の各辺に折曲げ起伏可能に周壁３ａ，３ｂ，６ａ，６ｂを連設し、いずれかの周壁３ａ，３ｂ，６ａ，６ｂの上端に天板４を連設するとともに周壁の一部を開閉可能に連設して開口部を設けた立方体又は直方体状の包装箱において、開口部の開閉蓋を構成する周壁を底板２と天板４のいずれか一方に連設した内蓋９ａと、他方に設けた外蓋６ａとで構成し、閉蓋状態の内蓋９ａと外蓋６ａとの間に保冷材５１又はその他の備品を収納する空間からなる予備スペースＳを形成している。  そして予備スペースＳの側面視断面形状が三角形を形成するように、内蓋９ａの高さ方向の寸法を外蓋６ａの高さ方向の寸法より長く設定している。【選択図】図３
2008207819.tif 000002
【特許請求の範囲】
【請求項１】
正方形又は長方形の底板（２）の各辺に折曲げ起伏可能に周壁（３ａ），（３ｂ），（６ａ），（６ｂ）を連設し、いずれかの周壁（３ａ），（３ｂ），（６ａ），（６ｂ）の上端に天板（４）を連設するとともに周壁の一部を開閉可能に連設して開口部を設けた立方体又は直方体状の包装箱（１）であって、上記開口部の開閉蓋を構成する周壁を底板（２）と天板（４）のいずれか一方に連設した内蓋（９ａ）と、他方に設けた外蓋（６ａ）とで構成し、閉蓋状態の内蓋（９ａ）と外蓋（６ａ）との間に保冷材（５１）又はその他の備品を収納する空間からなる予備スペース（Ｓ）を形成させた包装箱の備品収納構造。
【請求項２】
予備スペース（Ｓ）の側面視断面形状が三角形を形成するように、内蓋（９ａ）の高さ方向の寸法（ｈ2）を外蓋（６ａ）の高さ方向の寸法（ｈ1）より長くした請求項１の包装箱の備品収納構造。
【請求項３】
内蓋（９ａ）を天板（４）の開口端に連設し、底板（２）側に内蓋（９ａ）の内側への移動を定位置で規制する規制部を設けた請求項１又は２の包装箱の備品収納構造。
【請求項４】
規制部が蓋部に隣接する周壁（３ｂ）下端に連設され、底板（２）の端部に接着固定される接着片（１７）の開口端側の端部である請求項３の包装箱の備品収納構造。
【請求項５】
規制部が底面上に載置されるケーキ用トレイ（４１）の開口端側端部である請求項３又は４の包装箱の備品収納構造。
【発明の詳細な説明】
【技術分野】
【０００１】
この発明はケーキ等の収容物を収容する包装箱に関し、特に保冷材やローソク，表示プレートその他の付属品等を収容する包装箱の備品収納構造に関する。
【背景技術】
【０００２】
従来の保冷材等を収容する包装箱の備品収納構造としては、包装箱の内部に立設した仕切壁によって備品収容部を形成するもの（特許文献１参照）や、前壁の上端に連設された皿箱状の保冷底部によって包装箱の上方に皿状の保冷材の収納空間を形成するもの（特許文献２参照）のほか、前壁の上端に連設された折返しフラップを内側に折り返すことによって前壁と折返しフラップとの間に備品収容スペースを形成するものが知られている（特許文献３参照）。
【特許文献１】特開２００４−３１５０２４号公報（図２）
【特許文献２】特開平８−２００９１４号公報（図３）
【特許文献３】特開２００５−２０００２３号公報（図２）
【発明の開示】
【発明が解決しようとする課題】
【０００３】
しかし上記特許文献１の備品収容部は、備品収容部を使用する場合は、常に仕切壁を立設して備品収容部を形成しているので、ケーキを出し入れする際に仕切壁の起立保持手段や仕切壁にケーキが接触してケーキが損傷するという問題があった。
【０００４】
特許文献２の備品収容部は、上部開放型の包装箱であるので円筒形状のケーキの包装には不向きであるほか、小片形状のケーキを収納したとしてもケーキの出し入れ時にそのケーキを損傷するという問題があった。
また備品収容部が箱の上方にあるので保冷材によって発生した結露水がケーキに落下するという問題があるほか、備品収容部が保冷底部とその各辺に連設された周壁とで形成された皿箱状であるので、紙の原材料が余分に必要であり、コスト高となっていた。
【０００５】
特許文献３の備品収容部は、前壁に連設された折返しフラップを前壁内面に折り返すことにより、前壁内面に備品収容部を形成しているので、箱組み時に外蓋である前壁が撓み、前壁の両側に隙間が形成されて、冷気の漏れが生じるほか、外観上も問題があった。
この発明は、これらの課題を解決又は改善し、ケーキを傷つけずに出し入れができ、原材料を節約して廉価に製造できるとともに、保冷材による結露水のケーキへの付着を防止できる包装箱の備品収納構造を提供するものである。
【課題を解決するための手段】
【０００６】
上記課題を解決するための本発明の包装箱の備品収納構造は、第１に、正方形又は長方形の底板２の各辺に折曲げ起伏可能に周壁３ａ，３ｂ，６ａ，６ｂを連設し、いずれかの周壁３ａ，３ｂ，６ａ，６ｂの上端に天板４を連設するとともに周壁の一部を開閉可能に連設して開口部を設けた立方体又は直方体状の包装箱１であって、上記開口部の開閉蓋を構成する周壁を底板２と天板４のいずれか一方に連設した内蓋９ａと、他方に設けた外蓋６ａとで構成し、閉蓋状態の内蓋９ａと外蓋６ａとの間に保冷材５１又はその他の備品を収納する空間からなる予備スペースＳを形成させたことを特徴としている。
【０００７】
第２に、予備スペースＳの側面視断面形状が三角形を形成するように、内蓋９ａの高さ方向の寸法ｈ2を外蓋６ａの高さ方向の寸法ｈ1より長くしたことを特徴としている。
【０００８】
第３に、内蓋９ａを天板４の開口端に連設し、底板２側に内蓋９ａの内側への移動を定位置で規制する規制部を設けたことを特徴としている。
【０００９】
第４に、規制部が蓋部に隣接する周壁３ｂ下端に連設され、底板２の端部に接着固定される接着片１７の開口端側の端部であることを特徴としている。
【００１０】
第５に、規制部が底面上に載置されるケーキ用トレイ４１の開口端側端部であることを特徴としている。
【発明の効果】
【００１１】
以上の如く構成される本発明の包装箱の備品収納構造によれば、以下のような効果を奏するものである。
（１）保冷材を収納する予備スペースが周面側に設けられているので、保冷材による結露水のケーキ側への落下が防止できるほか、予備スペースを周面側に設けてケーキを出し入れする際は予備スペースを形成する内蓋と外蓋とを開蓋状態に保っているので、ケーキを損傷させることなく出し入れすることができる。
【００１２】
（２）外蓋を撓ませることなく保冷材を保持できるので、予備スペースの両側に隙間が形成されず、冷気の漏れを防ぐほか、前壁を撓みのない外観デザインにすることができる。
【００１３】
（３）予備スペースを箱皿状に形成する必要がないので、箱皿の周壁の一部が不要となり、紙の原材料を節約することができる。また予備スペースを側面視で三角形の断面にして強度を高めることができるので、開閉蓋による周壁強度の低下を防止することができる。
【発明を実施するための最良の形態】
【００１４】
以下本発明の第１実施形態を図面に基づき説明する。図１は箱組み後の斜視図，図２，３は箱の組立途中を示す斜視図，図４は外面展開図を示している。
【００１５】
包装箱１は、正方形又は長方形の底板２の左端部から左側壁３ａ，天板４，右側壁３ｂそれぞれが順に折曲げ可能に連設され、底板２には外蓋として前後壁６ａ，６ｂが、左側壁３ａ及び右側壁３ｂの前端には前端フラップ７ａ，７ｂが、後端には後端フラップ８ａ，８ｂが折曲げ可能に連設されている。
【００１６】
天板４には内蓋として内前後壁９ａ，９ｂが折曲げ可能に連設され、前後部の開口部の開閉蓋は、前後壁（外蓋）６ａ，６ｂと内前後壁（内蓋）９ａ，９ｂとで構成されている。この例では、周壁は側壁３ａ，３ｂと前後壁６ａ，６ｂ等によって構成される。
【００１７】
前後壁６ａ，６ｂの先端には係止片１１ａ，１１ｂが連設され、天板４と内前後壁９ａ，９ｂの折目には係止孔１２ａ，１２ｂが形成されている。また天板４には、該天板４の一部をＵ字型に切り取った一対の把手１３が設けられている。
【００１８】
把手１３により切残し形成された切残し孔１４は、例えば天板４の内側から透明樹脂シート等を貼着することにより該切残し孔１４を閉塞し、塵やゴミ等の侵入を防止するとともに、ケーキ等の内容物を見ることが可能な窓とすることもできる。
【００１９】
底板２の右端部には接着代１６ａが設けられ、該接着代１６ａに対応する接着代１６ｂを備えた接着片１７が右側壁３ｂの下端部に折曲げ可能に連設され、該接着片１７の前端に切欠部１８が形成されている。
【００２０】
内前壁（内蓋）９ａには冷気の通り道として通気孔１９が穿設され、内前壁９ａの先端には底板２に当接して内前壁９ａの起立を保持する帯状の当接フラップ２１が折曲げ可能に連設されている。該当接フラップ２１の連設折目の右端部には切込２２が、略中央にはＵ字型の切込２３がそれぞれ形成されている。
【００２１】
以上のように構成される本包装箱の箱組みは、底板２に設けられた接着代１６ａに対し、右側壁３ｂ下端に連設された接着片１７の接着代１６ｂを接着固定し、折畳まれて平板状に形成され、平板状のまま店頭の現場へ納品される構成となっている。
【００２２】
店頭等の現場では平板状の包装箱１の左右側壁３ａ，３ｂを底板２に対して略直角方向に折り曲げて起立させる。そして後端フラップ８ａ，８ｂを内側にアングル状に折曲げ、次に内後壁（内蓋）９ｂを下方にアングル状に折り曲げ、後壁６ｂを上方にアングル状に折り曲げて、後壁６ｂ上端に連設された係止片１１ｂを係止孔１２ｂに挿入係止して後部の開口部を閉蓋する。
【００２３】
次に前部の開口部の閉蓋および保冷材５１等の備品を収納する予備スペースＳの形成方法について説明する。図２に示すように前部の開口時にケーキを載せたケーキ用トレイ４１を底板２上に載置する。そして図２，３，５に示すように、内前壁９ａに連設された当接フラップ２１を外向きに折曲げながら内前壁９ａを下向きに内側に折り曲げる。
【００２４】
当接フラップ２１の右端には切込２２が形成されているので、当接フラップ２１を外向きに折り曲げると、後方（包装箱内部側）に突起部２４が突出形成される。そして内前壁９ａを内側に折り曲げて当接フラップ２１を底板２に当接させた際に、該突起部２４を上記接着片１７の切欠部１８に当接して係止することにより、内前壁９ａの内側への移動を規制する構成となっている。
【００２５】
図４に示すように、内前壁９ａの高さ方向の寸法ｈ2は前壁６ａの高さ方向の寸法ｈ1より長く設定されている（ｈ2＞ｈ1）ので、内前壁９ａを内側に折り曲げた際は、図５に示すように内前壁９ａと前端フラップ７ａ，７ｂや前壁６ａとで形成される予備スペースＳは側面視断面形状が三角形となっている。
【００２６】
また当接フラップ２１の連設折目の略中央にはＵ字型の切込２３が形成されているので、当接フラップ２１を外向きに折り曲げることによって孔２６が切残し形成される。この例では、孔２６はケーキ用トレイ４１の摘み部４２を挿通する孔として用いられている。底板２上にケーキ用トレイ４１を載置することにより、上記の突起部２４と切欠部１８とが内前壁９ａの内側への移動を規制する規制部であるとともに、底板２上に載置したケーキ用トレイ４１も規制部とすることもできる。
【００２７】
図３に示すように底板２上に当接した当接フラップ２１上に、保冷材５１を載置し、前端フラップ７ａ，７ｂを内側にアングル状に折り曲げて、前壁６ａを上方にアングル状に折り曲げて、内前壁（内蓋）９ａと前端フラップ７ａ，７ｂ又は前壁（外蓋）６ａとの間に保冷材その他の備品を収容する予備スペースＳを形成する。そして前壁６ａ上端に連設された係止片１１ａを係止孔１２ａに挿入係止して前部の開口部を閉蓋して箱組みを完成させる。
【００２８】
ケーキ等の内容物を包装箱から取り出す場合は、係止孔１２ａから係止片１１ａを外して前壁６ａを下向きに折り曲げ、前端フラップ７ａ，７ｂを外向きに折り曲げて、予備スペースＳから保冷材５１その他の備品を取り除き、内前壁９ａを上方にアングル状に折り曲げた状態で保持しながら、包装箱１内のケーキをケーキ用トレイ４１とともに取り出す。
【００２９】
以上のように構成される本発明の包装箱の備品収納構造は、上記態様に限らず内後壁９ｂに通気孔を形成してその先端に当接フラップを連設することにより後部の開口部にも予備スペースを形成することができる。また内蓋を底板に連設して、外蓋を天板に連設して予備スペースを形成することもできる。その他、内蓋に形成された通気孔の形状等のその他の形状は上記態様に限らず他の形状にすることが可能であり、通気孔の数も包装箱のサイズに応じて自由に変更可能である。
【図面の簡単な説明】
【００３０】
【図１】本包装箱の箱組み完成状態を示す斜視図である。
【図２】本包装箱の内蓋と外蓋の開蓋状態を示す斜視図である。
【図３】本包装箱の内蓋の閉蓋状態を示す斜視図である。
【図４】本包装箱の外面展開図である。
【図５】本包装箱の予備スペースの形成過程を示す側面断面図であり、（Ａ）内蓋の閉蓋前と（Ｂ）内蓋の閉蓋後に前端フラップを内側に折り曲げた状態を示している。
【符号の説明】
【００３１】
１      包装箱
２      底板
３ａ    左側壁（周壁）
３ｂ    右側壁（周壁）
４      天板
６ａ    前壁（周壁・外蓋）
６ｂ    後壁（周壁・外蓋）
９ａ    内前壁（周壁・内蓋）
９ｂ    内後壁（周壁・内蓋）
１７    接着片
４１    ケーキ用トレイ
５１    保冷材
Ｓ      予備スペース
ｈ1     寸法
ｈ2     寸法
【図１】
2008207819.tif 000003
【図２】
2008207819.tif 000004
【図３】
2008207819.tif 000005
【図４】
2008207819.tif 000006
【図５】
2008207819.tif 000007